(57)【特許請求の範囲】
【請求項１】
第１の時間間隔を周期的に計測する第１のタイマーと、
前記第１のタイマーが計測する前記第１の時間間隔において、前記第１の時間間隔よりも短い第２の時間間隔を少なくとも１回計測する第２のタイマーと、
第１の接続要求フレームを受信する受信部と、
前記第２のタイマーが計測する前記第２の時間間隔において、前記受信部が起動状態であるように制御し、前記第１の時間間隔のうち前記第２の時間間隔以外の時間において、前記受信部が停止状態であるように制御する制御部と
を具備する、無線通信装置。
【請求項２】
前記第１の接続要求フレームに対する応答信号を生成する生成部と、
前記応答信号を送信する送信部と、
を更に具備し、
前記送信部は、前記第２の時間間隔において前記受信部が前記第１の接続要求フレームを受信した場合に、前記応答信号を送信する、
請求項１の無線通信装置。
【請求項３】
受信エラーが発生したか否かを判定する判定部を更に具備し、
前記制御部は、前記受信エラーの発生が判定されるならば、前記第２のタイマーが前記第２の時間間隔の計測を終了した後も前記受信部の起動状態を継続させる、
請求項２の無線通信装置。
【請求項４】
前記第２の時間間隔は、他の無線通信装置が前記第１の接続要求フレームを送信するための期間と、前記他の無線通信装置が前記応答信号を受信待ちするための期間との和に一致する、請求項２または請求項３の無線通信装置。
【請求項５】
前記受信部によって正しく受信された信号の種別を解析する解析部を更に具備し、
前記生成部は、前記受信部によって正しく受信された信号の種別が前記第１の接続要求フレームと一致するならば、接続応答フレーム及びＡｃｋｎｏｗｌｅｄｇｅ（ＡＣＫ）フレームのいずれか一方を生成し、
前記送信部は、前記生成部が生成したフレームを送信する、
請求項２または請求項３の無線通信装置。
【請求項６】
受信エラーが発生したか否かを判定する判定部を更に具備し、
前記生成部は、前記受信エラーの発生が判定されるならば、第２の接続要求フレームを生成し、
前記送信部は、前記第２の接続要求フレームを送信する、
請求項２の無線通信装置。
【請求項７】
前記送信部及び前記受信部の使用チャネルを複数の周波数チャネルのいずれか１つに切り替える切替部を更に具備し、
前記第２のタイマーは、前記第１のタイマーが計測する前記第１の時間間隔において、前記第２の時間間隔を複数回計測し、
前記切替部は、前記第２のタイマーが前記第２の時間間隔の計測する毎に、前記送信部及び前記受信部の使用チャネルを異なる周波数チャネルに切り替える、
請求項２乃至請求項６のいずれかの無線通信装置。
【請求項８】
前記送信部及び前記受信部の使用チャネルを複数の周波数チャネルのいずれか１つに切り替える切替部を更に具備し、
前記切替部は、前記受信エラーの発生が判定されるならば、前記送信部及び前記受信部の使用チャネルを前記受信エラーの発生が判定されたチャネルに固定する、
請求項３の無線通信装置。
【請求項９】
受信エラーが発生したか否かを判定する判定部と、
前記送信部及び前記受信部の使用チャネルを複数の周波数チャネルのいずれか１つに切り替える切替部と
を更に具備し、
前記切替部は、前記受信エラーの発生が判定されるならば、前記送信部及び前記受信部の使用チャネルを前記受信エラーの発生が判定されたチャネルに固定し、
前記生成部は、前記受信エラーの発生が判定されるならば、第２の接続要求フレームを生成し、
前記送信部は、前記第２の接続要求フレームを送信する、
請求項２の無線通信装置。
【請求項１０】
アンテナを更に具備する、請求項１乃至請求項９のいずれかの無線通信装置。
【請求項１１】
データを保持するバッファと、
前記バッファと接続され、ファームウエアが動作するプロセッサ部と、
前記バッファと接続される外部インターフェース部と
を更に具備する、請求項１乃至請求項１０のいずれかの無線通信装置。
【請求項１２】
第１のタイマーが、第１の時間間隔を周期的に計測することと、
第２のタイマーが、前記第１のタイマーが計測する前記第１の時間間隔において、前記第１の時間間隔よりも短い第２の時間間隔を少なくとも１回計測することと、
受信部が、第１の接続要求フレームを受信することと、
制御部が、前記第２のタイマーが計測する前記第２の時間間隔において、前記受信部が起動状態であるように制御し、前記第１の時間間隔のうち前記第２の時間間隔以外の時間において、前記受信部が停止状態であるように制御することと
を具備する、無線通信方法。
【発明の詳細な説明】
【技術分野】
【０００１】
実施形態は、無線通信に関する。
【背景技術】
【０００２】
一方の無線通信装置が接続要求信号の送信を行い、他方の無線通信装置が接続要求信号の受信待ちを行って無線接続を行う無線通信方式が知られている。この種の無線通信方式において、受信待ちを行う無線通信装置は、消費電力節約のために、常時動作ではなく間欠動作するように設計されることがある。接続要求信号を間欠受信する無線通信方式に関して、接続要求信号の送信タイミングと受信待ちのタイミングとが適切に合致しなければ接続が確立するまでに長時間を要するという問題がある。一方、受信待ちの期間を不用意に長くすることも消費電力の観点から好ましくない。
【先行技術文献】
【特許文献】
【０００３】
【特許文献１】特開２００３−８７１８０号公報
【発明の概要】
【発明が解決しようとする課題】
【０００４】
実施形態は、接続要求信号の間欠受信を行う無線通信方式に関して、無線通信装置間の接続を確立するための手法を提供することを目的とする。
【課題を解決するための手段】
【０００５】
実施形態によれば、無線通信装置は、第１のタイマーと、第２のタイマーと、受信部と、生成部と、送信部と、制御部とを含む。第１のタイマーは、第１の時間間隔を周期的に計測する。第２のタイマーは、第１のタイマーが計測する第１の時間間隔において、第１の時間間隔よりも短い第２の時間間隔を少なくとも１回計測する。受信部は、第１の接続要求フレームを受信する。生成部は、第１の接続要求フレームに対する応答信号を生成する。送信部は、応答信号を送信する。制御部は、第２のタイマーが計測する第２の時間間隔において、受信部が起動状態であるように制御する。
【図面の簡単な説明】
【０００６】
【図１】各実施形態に係る無線通信装置を含む無線通信システムを例示する図。
【図２】第１の実施形態に係る無線通信装置を例示するブロック図。
【図３】図２の無線通信装置の動作を例示するフローチャート。
【図４】図２の無線通信装置の動作を例示するタイミングチャート。
【図５】第２の実施形態に係る無線通信装置を例示するブロック図。
【図６Ａ】図５の無線通信装置の動作を例示するフローチャート。
【図６Ｂ】図５の無線通信装置の動作を例示するフローチャート。
【図７】図５の無線通信装置の動作を例示するタイミングチャート。
【図８】第３の実施形態に係る無線通信装置を例示するブロック図。
【図９】図８の無線通信装置の動作を例示するフローチャート。
【図１０】図８の無線通信装置の動作を例示するタイミングチャート。
【図１１】第４の実施形態に係る無線通信装置を例示するブロック図。
【図１２】図１１の無線通信装置の動作を例示するフローチャート。
【図１３】第５の実施形態に係る無線通信装置の動作を例示するタイミングチャート。
【図１４】第６の実施形態に係る無線通信装置を例示するブロック図。
【図１５】図１４の無線通信装置の動作を例示するフローチャート。
【図１６】第７の実施形態に係る無線通信装置を例示するブロック図。
【図１７】図１６の無線通信装置の動作を例示するフローチャート。
【図１８】第８の実施形態に係る無線通信装置を例示するブロック図。
【図１９】図１８の無線通信装置の動作を例示するフローチャート。
【図２０】図１８の無線通信装置の動作を例示するフローチャート。
【図２１】第９の実施形態に係る無線通信装置を例示するブロック図。
【図２２】図２１の無線通信装置の動作を例示するフローチャート。
【図２３】第１０の実施形態に係る無線通信装置の動作を例示するフローチャート。
【図２４】第１１の実施形態に係る無線通信装置を例示するブロック図。
【図２５】図２４の無線通信装置の動作を例示するフローチャート。
【図２６】第１２の実施形態に係る無線通信装置を例示するブロック図。
【図２７】図２６の無線通信装置の動作を例示するフローチャート。
【図２８】第１３の実施形態に係る無線通信装置の動作を例示するフローチャート。
【図２９】第１４の実施形態に係る無線通信装置の動作を例示するフローチャート。
【図３０】第１５の実施形態に係る無線通信装置において計測されるインターバル及びサブインターバルの説明図。
【図３１】第１６の実施形態に係る無線通信装置を例示するブロック図。
【図３２】第１７の実施形態に係る無線通信装置を例示するブロック図。
【図３３】第１８の実施形態に係る無線通信装置を例示するブロック図。
【図３４】第１９の実施形態に係る無線通信装置を例示するブロック図。
【図３５】第２０の実施形態に係る無線通信装置を例示するブロック図。
【図３６】第２１の実施形態に係る無線通信装置を例示するブロック図。
【図３７】第２２の実施形態に係る無線通信装置を例示するブロック図。
【図３８】第２３の実施形態に係る無線通信装置を例示するブロック図。
【図３９】第２４の実施形態に係る無線通信装置を例示するブロック図。
【図４０】第２５の実施形態に係る無線通信装置を例示するブロック図。
【図４１】第２６の実施形態に係る無線通信装置を例示するブロック図。
【図４２】第２７の実施形態に係る無線通信装置を例示するブロック図。
【図４３Ａ】図１４の無線通信装置の動作を例示するタイミングチャート。
【図４３Ｂ】図１４の無線通信装置の動作を例示するタイミングチャート。
【図４４】図１６の無線通信装置の動作を例示するタイミングチャート。
【図４５】図１８の無線通信装置の動作を例示するタイミングチャート。
【図４６】図１８の無線通信装置の動作を例示するタイミングチャート。
【図４７】図２１の無線通信装置の動作を例示するタイミングチャート。
【図４８】第１０の実施形態に係る無線通信装置の動作を例示するタイミングチャート。
【図４９】図２４の無線通信装置の動作を例示するタイミングチャート。
【図５０】図２６の無線通信装置の動作を例示するタイミングチャート。
【図５１】第１３の実施形態に係る無線通信装置の動作を例示するタイミングチャート。
【図５２】第１４の実施形態に係る無線通信装置の動作を例示するタイミングチャート。
【発明を実施するための形態】
【０００７】
以下、図面を参照して、実施形態について説明する。  
尚、各実施形態において、説明済みの他の実施形態と同一または類似の要素には同一または類似の符号を付し、重複する説明を基本的に省略する。また、以降の説明において、「フレーム」という用語と、「信号」という用語とは、基本的に適宜読み替えることができる。
【０００８】
（第１の実施形態）  
以下、図１を用いて、第１の実施形態または他の実施形態に係る無線通信装置１，２，３を含む無線通信システムについて説明する。これら無線通信装置１，２，３は、典型的には、いわゆる近距離無線通信を行うものの、他の無線通信を行っても勿論よい。無線通信１，２，３は、１対１で通信を行う。即ち、無線通信装置１と無線通信装置２との間で一連のフレームの送受信４（例えば、接続のためのフレームの送受信、データフレームの送受信など）が行われている間、無線通信装置３はこれら無線通信装置１，２とは通信しない。従って、例えば、無線通信装置３は、無線通信装置１と無線通信装置２との間で一連のフレームの送受信４が終了してから、無線通信装置１との間で一連のフレームの送受信５を行う。
【０００９】
具体的には、一連のフレーム送受信４，５において、接続要求フレーム（例えば、Ｃｏｎｎｅｃｔｉｏｎ  Ｒｅｑｕｅｓｔ：Ｃ−Ｒｅｑ）及び接続応答フレーム（例えば、Ｃｏｎｎｅｃｔｉｏｎ  Ａｃｃｅｐｔ：Ｃ−Ａｃｃ）のやり取りを経て２つの無線通信装置が接続される。接続後、２つの無線通信装置の間でデータフレームの送受信が行われる。データフレームの送受信の終了後に、２つの無線通信装置の間の接続が切断される。
【００１０】
第１の実施形態に係る無線通信装置は、図２に示されるように、無線部１２、送信部１３、フレーム生成部１４、受信部１５、制御部１６、サブインターバルタイマー１７及びインターバルタイマー１８を含む。
【００１１】
無線部１２は、アンテナ１１に接続される。アンテナ１１は、送信処理及び受信処理で共用であるように描かれているが、送信処理と受信処理とで別々に用意されてもよい。無線部１２は、制御部１６からの指示に従って、無線信号の送信処理及び無線信号の受信処理のいずれか一方を行う。具体的には、無線部１２はシンセサイザを備えており、制御部１６からの指示に従って、シンセサイザの送受が切り替えられる。
【００１２】
例えば、無線部１２は、制御部１６から送信モードで動作するように指示を受けると、送信部１３からの送信信号にアナログ信号処理（例えば、デジタル−アナログ変換、アップコンバート、フィルタリング、電力増幅など）を行ってから、アンテナ１１を介して出力する。また、無線部１２は、制御部１６から受信モードで動作するように指示を受けると、アンテナ１１からの受信信号にアナログ信号処理（例えば、低雑音増幅、フィルタリング、ダウンコンバート、アナログ−デジタル変換など）を行ってから、を受信部１５に入力する。更に、無線部１２は、制御部１６から動作の停止／起動を制御される。
【００１３】
送信部１３は、フレーム生成部１４からのフレームに対して各種送信処理（例えば、変調などのデジタル信号処理）を行い、処理後の送信信号を無線部１２に入力する。送信部１３の動作の停止／起動は、制御部１６によって制御される。
【００１４】
フレーム生成部１４は、制御部１６からの指示に従って送信フレーム（例えば、接続要求フレーム、ＡＣＫ（Ａｃｋｎｏｗｌｅｄｇｅ）フレーム、接続応答フレームなど）を生成し、送信部１３に入力する。また、フレーム生成部１４は、生成したフレームにＣＲＣパリティ検査符号などの誤り検出符号を付加してもよい。フレーム生成部１４の動作の停止／起動は、制御部１６によって制御される。
【００１５】
受信部１５は、無線部１２からの受信信号に対して各種受信処理（例えば復調などのデジタル信号処理）を行う。受信部１５の動作の停止／起動は、制御部１６によって制御される。
【００１６】
インターバルタイマー１８は、所定の時間間隔（以降、インターバルとも称する）を周期的に計測する。例えば、インターバルタイマー１８は、計測中のインターバルがタイムアウトする毎に、次のインターバルの計測を開始する。
【００１７】
サブインターバルタイマー１７は、インターバルタイマー１８が計測するインターバルにおいて、インターバルよりも短い所定の時間間隔（以降、サブインターバルとも称する）を少なくとも１回計測する。例えば、サブインターバルタイマー１７は、インターバルタイマー１８に同期し、インターバルタイマー１８がインターバルの計測を開始するのと併せてサブインターバルの計測を開始してもよい。
【００１８】
制御部１６は、サブインターバルタイマー１７が計測するサブインターバルにおいて、接続要求フレームの送信と、この接続要求フレームに対する応答信号の受信待ちとを繰り返すように、無線部１２、送信部１３、フレーム生成部１４及び受信部１５を制御する。
【００１９】
以下、図３を用いて、図１の無線通信装置の動作例を説明する。尚、図３及び他のフローチャートにおいて描かれる処理順序は一例であり、支障のない限り一部の処理の実行順序を変更してもよい。  
図３の処理の開始後、ステップＳ３１において、制御部１６は、インターバルタイマー１８を起動し、インターバルを計測させる。制御部１６は、無線部１２を送信モードで起動させる（ステップＳ３２）。制御部１６は、サブインターバルタイマー１７を起動し、サブインターバルを計測させる（ステップＳ３３）。ステップＳ３３の後に、制御部１６はフレーム生成部１４を起動し（ステップＳ３４）、送信部１３を起動する（ステップＳ３５）。
【００２０】
ステップＳ３４において起動されたフレーム生成部１４は、接続要求フレームを生成する（ステップＳ３６）。ステップＳ３５において起動された送信部１３と、ステップＳ３２において起動された無線部１２とが、ステップＳ３６において生成された接続要求フレームを所定のタイミングで送信する（ステップＳ３７）。
【００２１】
ステップＳ３７の後に、制御部１６は送信部１３を停止し（ステップＳ３８）、フレーム生成部１４を停止する（ステップＳ３９）。更に、制御部１６は、受信部１５を起動し（ステップＳ４０）、無線部１２を受信モードに切り替える（ステップＳ４１）。ステップＳ４０，Ｓ４１の後に、接続応答フレームが受信されれば処理はステップＳ４７に進み、そうでなければ処理はステップＳ４３に進む。ステップＳ４７では、相手方の無線通信装置との接続が確立し、通信が開始する。
【００２２】
ステップＳ４３において、制御部１６は、ステップＳ３３において起動したサブインターバルタイマー１７がタイムアウトしているか否かを判定する。サブインターバルタイマー１７がタイムアウトしていれば処理はステップＳ４５に進み、そうでなければ処理はステップＳ４９に進む。
【００２３】
ステップＳ４５において、制御部１６は、受信部１５を停止する。制御部１６は、無線部１２も停止する（ステップＳ４６）。ステップＳ４５，ステップ４６の後に、制御部１６はステップＳ３１において起動したインターバルタイマー１８がタイムアウトとなるまで待機し（ステップＳ４８）、処理はステップＳ３１に戻る。
【００２４】
ステップＳ４９において、制御部１６は、受信部１５を停止する。制御部１６は、無線部１２を送信モードに切り替える（ステップＳ４４）。ステップＳ４９，Ｓ４４の後に、処理はステップＳ３４に戻る。即ち、ステップＳ３４，・・・，Ｓ４１，Ｓ４２，Ｓ４３，Ｓ４９，Ｓ４４で形成されるループ処理によって、接続要求フレームの送信と、この接続要求フレームに対する応答信号の受信待ちとが繰り返される。
【００２５】
以下、図４を用いて、図１の無線通信装置の動作例を説明する。  
図４において、連続する２つのインターバル６１，６２が描かれている。インターバル６１の中には、サブインターバル６３が含まれる。また、インターバル６２の中には、サブインターバル６４が含まれる。尚、インターバル６１のうちサブインターバル６３を除く部分８１において、図示しない別のサブインターバルが含まれていてもよいし、含まれていなくてもよい。また、インターバル６２のうちサブインターバル６４を除く部分８２においても同様である。
【００２６】
サブインターバル６３の中では、接続要求フレームの送信（６５，６７，６９，７１）と、この接続要求フレームに対する応答信号の受信待ち（６６，６８，７０，７２）とが交互に繰り返されている。同様に、サブインターバル６４の中では、接続要求フレームの送信（７３，７５，７７，７９）と、この接続要求フレームに対する応答信号の受信待ち（７４，７６，７８，８０）とが交互に繰り返されている。
【００２７】
以上説明したように、第１の実施形態に係る無線通信装置は、接続要求フレームの間欠送信を行うためのサブインターバルにおいて、接続要求フレームの送信と、その応答信号の受信待ちとを交互に繰り返す。従って、本実施形態に係る無線通信装置によれば、相手方の無線通信装置において接続要求フレームの受信エラーが生じたとしても更なる接続要求フレームが繰り返し送信されるので、接続が短時間で確立されやすい。
【００２８】
（第２の実施形態）  
第２の実施形態に係る無線通信装置は、図５に示されるように、無線部１２、送信部１３、フレーム生成部１４、受信部１５、制御部１６、サブインターバルタイマー１７、インターバルタイマー１８、応答信号タイマー１０１及び切替タイマー１０２を含む。
【００２９】
応答信号タイマー１０１は、送信済みの接続要求フレームに対する応答信号を待機する期間を計測する。
【００３０】
切替タイマー１０２は、接続要求フレームが送信された後に無線部１２を送信モードから受信モードに切り替えるまでに要する期間（即ち、接続要求フレームが送信された後に受信部１５を停止した状態が維持される期間）を計測する。例えば、切替タイマー１０２は、無線部１２に備えられたシンセサイザが送信モードから受信モードに切り替わるまでに必要となる期間を計測する。また、切替タイマー１０２は、応答信号タイマー１０１のタイムアウト後に無線部１２を受信モードから送信モードに切り替えるまでに要する期間（即ち、応答信号タイマー１０１のタイムアウト後に受信部１５を停止した状態が維持される期間）も計測する。例えば、切替タイマー１０２は、無線部１２に備えられたシンセサイザが受信モードから送信モードに切り替わるまでに必要となる期間を計測する。
【００３１】
尚、送信モードから受信モードに切り替えるまでに要する期間と、受信モードから送信モードに切り替えるまでに要する期間とが異なるように設計することも可能である。係る設計を採用する場合に、切替タイマー１０２を２つ用意してもよい。
【００３２】
以下、図３、図６Ａ及び図６Ｂを用いて、図５の無線通信装置の動作例を説明する。図５の無線通信装置の動作は、図３と一部において重複する。図５の無線通信装置の動作のうち図３と異なる部分は、図６Ａ及び図６Ｂに示されている。
【００３３】
図３のステップＳ３６の後に、処理は図３のステップＳ３７ではなく図６ＡのステップＳ３７に進む。制御部１６は、ステップＳ３６の完了、即ち、接続要求フレームの送信完了を待機し（ステップＳ１１１）、処理はステップＳ３８に進む。
【００３４】
ステップＳ３８，Ｓ３９の後に、制御部１６は、切替タイマー１０２を起動し（ステップＳ１１２）、応答信号タイマー１０１を起動する（ステップＳ１１３）。制御部１６は、ステップＳ１１３において起動した切替タイマー１０２がタイムアウトするまで待機し（ステップＳ１１４）、処理は図３のステップＳ４０に進む。
【００３５】
図３のステップＳ４１の後に、処理は図３のステップＳ４２ではなく図６ＢのステップＳ４２に進む。制御部１６は、図６ＡのステップＳ１１３において起動した応答信号タイマー１０１がタイムアウトするまで応答信号を待機する（ステップＳ１１５）。応答信号タイマー１０１がタイムアウトすると、処理はステップＳ４３に進む。
【００３６】
ステップＳ４９の後に、制御部１６は、切替タイマー１０２を起動する（ステップＳ１１６）。制御部１６は、ステップＳ１１６において起動した切替タイマー１０２がタイムアウトするまで待機し（ステップＳ１１７）、処理は図３のステップＳ４４に進む。
【００３７】
以下、図７を用いて、図５の無線通信装置の動作例を説明する。  
図７における符号６５，６６が指す期間は、図４における同符号６５，６６が指す期間に対応している。即ち、図７においても、期間６５は接続要求フレームの送信のためのものであり、期間６６は接続要求フレームに対する応答信号の受信待ちのためのものである。
【００３８】
具体的には、接続要求フレームの送信開始から送信完了までの期間１３１（６５）の満了後に、切替タイマー１０２及び応答信号タイマー１０１が夫々起動される（図６ＡのステップＳ１１２，Ｓ１１３を参照）。切替タイマー１０２は、期間１３１の満了後に無線部１２を送信モードから受信モードに切り替えるまでに要する期間（即ち、受信部１５を停止した状態が維持される期間）１３２を計測する。一方、応答信号タイマー１０１は、接続要求フレームに対する応答信号を待機する期間１３３を計測する。尚、前述の通り、受信部１５は、切替タイマー１０２のタイムアウト後（即ち、期間１３２の満了後）に起動される。期間１３３の満了後に、切り替えタイマー１０２が起動される（図６ＢのステップＳ１１６を参照）。切替タイマー１０２は、無線部１２を送信モードから受信モードに切り替えるまでに要する期間（即ち、受信部１５を停止した状態が維持される期間）１３４を計測する。即ち、受信部１５は、期間６６のうち期間１３２の満了後から期間１３３が満了するまでの間において起動状態であるが、それ以外の期間１３２，１３４において停止状態である。従って、受信部１５の起動状態が維持される時間は必要最小限に抑えられる。
【００３９】
このように、サブインターバルの中では、期間６５及び期間６６のペアに相当する単位期間が複数回繰り返される。尚、単位期間は、接続要求フレームが送信される第１の期間（例えば、期間１３１）と、第１の期間の後に受信部１５を停止した状態が維持される第２の期間（例えば、期間１３２）と、第２の期間の後に受信部１５を起動した状態で応答信号が待機される第３の期間（例えば、期間１３３のうち期間１３２の満了後の部分）と、第３の期間の後に受信部を１５停止した状態が維持される第４の期間（例えば、期間１３４）とを含む。
【００４０】
以上説明したように、第２の実施形態に係る無線通信装置は、第１の実施形態における応答信号の受信待ちのための期間を細分化し、受信部の起動状態が維持される時間を必要最小限に抑えている。従って、本実施形態に係る無線通信装置によれば、第１の実施形態と同様の効果を得ることができると共に、消費電力の削減を期待できる。
【００４１】
（第３の実施形態）  
第３の実施形態に係る無線通信装置は、図８に示されるように、無線部１２、送信部１３、フレーム生成部１４、受信部１５、制御部１６、サブインターバルタイマー１７及び起動タイマー１５１を含む。
【００４２】
起動タイマー１５１は、受信部１５の起動状態が維持される所定の時間間隔（以降、起動期間とも称する）を計測する。尚、起動期間は、サブインターバルよりも短い。具体的には、起動タイマー１５１は、サブインターバルタイマー１７が計測するサブインターバルにおいて、起動期間を少なくとも１回計測する。
【００４３】
以下、図９を用いて、図８の無線通信装置の動作例を説明する。  
図９の処理の開始後、ステップＳ１６１において、制御部１６は、サブインターバルタイマー１７を起動し、サブインターバルを計測させる（ステップＳ１６１）。また、制御部１６は、無線部１２を起動し（ステップＳ１６２）、受信部１５を起動する（ステップＳ１６３）。尚、図９には明示されていないが、制御部１６は、ステップＳ１６３に併せて起動タイマー１５１を起動し、起動期間を計測させる。ステップＳ１６３の後に、処理はステップＳ１６４に進む。
【００４４】
ステップＳ１６４では、ステップＳ１６３において起動された受信部１５が、信号（例えば、接続要求フレーム）を待ち受ける。接続要求フレームが受信されれば、処理はステップＳ１７０に進み、そうでなければ処理はステップＳ１６６に進む。ステップＳ１６６において、制御部１６はステップＳ１６３に併せて起動した起動タイマー１５１がタイムアウトしているか否かを判定する。起動タイマー１５１がタイムアウトしていれば処理はステップＳ１６７に進み、そうでなければ処理はステップＳ１６４に戻る。即ち、起動タイマー１５１が計測する起動期間において、受信部１５は接続要求フレームを待機し続ける。
【００４５】
ステップＳ１６７において、制御部１６は、受信部１５を停止する。また、制御部１６は、無線部１２も停止する（ステップＳ１６８）。ステップＳ１６７，Ｓ１６８の後に、制御部１６はステップＳ１６１において起動したサブインターバルタイマー１７がタイムアウトとなるまで待機し（ステップＳ１６９）、処理はステップＳ１６１に戻る。
【００４６】
ステップＳ１７０において、制御部１６は、受信部１５を停止する。また、制御部１６は、無線部１２を送信モードに切り替え（ステップＳ１７１）、送信部１３を起動し（ステップＳ１７２）、フレーム生成部１４を起動する（ステップＳ１７３）。
【００４７】
ステップＳ１７３において起動されたフレーム生成部１４は、接続応答フレームを生成する（ステップＳ１７４）。ステップＳ１７２において起動された送信部１３と、ステップＳ１７１において送信モードに切り替えられた無線部１２とが、ステップＳ１７４において生成された接続応答フレームを所定のタイミングで送信する（ステップＳ１７５）。ステップＳ１７５の後に、相手方の無線通信装置との接続が確立し（ステップＳ１７６）、通信が開始する。
【００４８】
以下、図１０を用いて、図８の無線通信装置の動作例を説明する。  
図１０において、連続する２つのサブインターバル１９１，１９２が描かれている。サブインターバル１９１の中には、起動期間１９５が含まれる。また、サブインターバル１９２の中には、起動期間１９６が含まれる。尚、サブインターバル１９１のうち、起動期間１９５を除く部分１９７（即ち、起動タイマー１５１のタイムアウト１９３の後の部分）において、図示しない別の起動期間が含まれていてもよいし、含まれていなくてもよい。また、サブインターバル１９２のうち、起動期間１９６を除く部分１９８（即ち、起動タイマー１５１のタイムアウト１９４の後の部分）においても同様である。各サブインターバルにおいて起動期間を除く部分では、無線部１２、送信部１３、フレーム生成部１４、受信部１５及び起動タイマー１５１の停止状態が維持される。
【００４９】
以上説明したように、第３の実施形態に係る無線通信装置は、接続要求フレームの間欠受信を行うためのサブインターバルのうち起動タイマーが計測する起動期間において受信部の起動状態が維持される。従って、本実施形態に係る無線通信装置によれば、受信部の起動状態が維持される期間が必要最小限に抑えられるので、消費電力の削減を期待できる。
【００５０】
（第４の実施形態）  
第４の実施形態に係る無線通信装置は、図１１に示されるように、無線部１２、送信部１３、フレーム生成部１４、受信部１５、制御部１６、サブインターバルタイマー１７、起動タイマー１５１及び受信判定部２１１を含む。
【００５１】
受信判定部２１１は、受信エラーが生じたか否かを判定する。例えば、受信判定部２１１は、受信部１５によって処理された受信信号の誤り検出符号の復号が失敗すれば、受信エラーが生じたと判定する。
【００５２】
以下、図９及び図１２を用いて、図１１の無線通信装置の動作例を説明する。図１１の無線通信装置の動作は、図９と一部において重複する。図１１の無線通信装置の動作のうち図９と異なる部分は、図１２に示されている。
【００５３】
図９のステップＳ１６４の後に、処理は図９のステップＳ１６５ではなく図１２のステップＳ２２１に進む。ステップＳ２２１において、受信部１５は例えば受信信号のエネルギーの大きさに基づいて信号が検出されたか否かを判定する。信号が検出されたならば処理はステップＳ２２２に進み、そうでなければ処理は図９のステップＳ１６６に進む。
【００５４】
ステップＳ２２２において、受信部１５は受信信号を復調する。ステップＳ２２２において、復調信号についてＣＲＣチェック（或いは、他の誤り検出符号でも勿論よい）が行われる。ＣＲＣチェックが成功すれば処理は図９のステップＳ１６５に進み、そうでなければ処理はステップＳ２２４に進む（ステップＳ２２３）。即ち、受信判定部２１１が受信エラーを判定すれば処理はステップＳ２２４に進み、そうでなければ処理は図９のステップＳ１６５に進む。
【００５５】
ステップＳ２２４において、受信部１５は信号（例えば、接続要求フレーム）を待ち受ける。ステップＳ２２５において、受信部１５は信号が検出されたか否かを判定する。信号が検出されたならば処理はステップＳ２２６に進み、そうでなければ処理はステップＳ２２９に進む。
【００５６】
ステップＳ２２６において、受信部１５は受信信号を復調する。ステップＳ２２６において、復調信号についてＣＲＣチェックが行われる。ＣＲＣチェックが成功すれば処理はステップＳ２２８に進み、そうでなければ処理はステップＳ２２９に進む（ステップＳ２２７）。即ち、受信判定部２１１が受信エラーを判定すれば処理はステップＳ２２９に進み、そうでなければ処理はステップＳ２２８に進む。ステップＳ２２８において、接続要求フレームが受信されていれば、処理は図９のステップＳ１７０に進み、そうでなければ処理はステップＳ２２９に進む。
【００５７】
ステップＳ２２９において、制御部１６は、サブインターバルタイマー１７がタイムアウトしているか否かを判定する。サブインターバルタイマー１７がタイムアウトしていれば処理はステップＳ２３０に進み、そうでなければ処理はステップＳ２２４に戻る。ステップＳ２３０において、制御部１６はサブインターバルタイマー１７を起動し、サブインターバルを計測させる。ステップＳ２３０の後に、処理はステップＳ１６４に戻る。
【００５８】
このように、ステップＳ２２３からステップＳ２２４に遷移すると（即ち、受信エラーの発生が判定されると）、起動タイマー１５１のタイムアウトに関わらずサブインターバルタイマー１８がタイムアウトするまで、受信部１５の起動状態が維持される。
【００５９】
以上説明したように、第４の実施形態に係る無線通信装置は、第３の実施形態における起動期間の間に受信エラーが発生すると、この起動期間の満了に関わらずサブインターバルが満了するまで受信部の起動状態が維持される。従って、本実施形態に係る無線通信装置によれば、例えば相手方の無線通信装置が接続要求フレームを繰り返し送信する場合に、受信エラー後に送信される接続要求フレームを受信することができるので、接続が短時間で確立されやすい。
【００６０】
（第５の実施形態）  
第２の実施形態では、接続要求フレームを送信する場合に関して単位期間を説明した。一方、第３及び第４の実施形態では、接続要求フレームを受信する場合に関して起動期間を説明した。一般に、起動期間を長くするほど、接続要求フレームの受信確率は上昇するものの、消費電力が増大する。第５の実施形態に係る無線通信装置は、接続要求フレームを受信する場合に上記単位期間の長さと一致する起動期間を利用する。
【００６１】
以下、図１３を用いて本実施形態に係る無線通信装置の動作を説明する。  
図１３は、異なる３つのタイミングＡ，Ｂ，Ｃで起動期間が設定される場合における本実施形態に係る無線通信装置の動作を示している。尚、図１３において、接続要求送信シーケンスは、相手方の無線通信装置の動作を示している。相手方の無線通信装置は、例えば第２の実施形態に従って、単位期間２４１において接続要求フレームの送信と応答信号の受信待ちとを行い、単位期間２４２においてもこれを繰り返す。
【００６２】
タイミングＡに従って設定される起動期間２４３は、接続要求フレームが送信される期間２４４の先頭を含んでいる。従って、この起動期間２４３において、無線通信装置は接続要求フレームを受信することができる。また、タイミングＢに従って設定される起動期間２４５は、接続要求フレームが送信される期間２４６の全体を含んでいる。従って、この起動期間２４５において、無線通信装置は接続要求フレームを受信することができる。更に、タイミングＣに従って設定される起動期間２４７は、接続要求フレームが送信される期間２４８と一部重複するものの、受信エラーが生じている。しかしながら、前述の通り、起動期間２４７の長さは単位期間２４１，２４２の長さと一致するので、次の接続要求フレームが送信される期間２４９の先頭が起動期間２４７に含まれることになる。従って、この起動期間２４７においても、無線通信装置は接続要求フレームを受信することができる。
【００６３】
以上説明したように、第５の実施形態に係る無線通信装置は、第２の実施形態における単位期間の長さと一致する起動期間を利用する。従って、本実施形態に係る無線通信装置によれば、様々なタイミングに対して接続要求フレームを受信しやすくなるので、接続要求フレームの受信確率を十分に確保しつつ、消費電力を抑えることができる。
【００６４】
（第６の実施形態）  
第６の実施形態に係る無線通信装置は、図１４に示されるように、無線部１２、送信部１３、フレーム生成部１４、受信部１５、制御部１６、サブインターバルタイマー１７、起動タイマー１５１、受信判定部２１１及び受信解析部２６１を含む。
【００６５】
受信解析部２６１は、受信部１５によって復調された信号が受信判定部２１１によって正しく受信されたと判定された信号（即ち、誤り検出符号の復号に成功した信号）の種別を解析する。例えば、受信解析部２６１は、受信信号の種別を示すフィールドを参照し、受信信号の種別が接続要求フレーム、ＡＣＫフレーム、接続応答フレームなどのいずれかに一致するかどうかを確認する。
【００６６】
以下、図９、図１２及び図１５を用いて、図１４の無線通信装置の動作例を説明する。図１４の無線通信装置の動作は、図９及び図１２（即ち、図１１の無線通信装置の動作）と一部において重複する。図１４の無線通信装置の動作のうち図９及び図１２と異なる部分は、図１５に示されている。
【００６７】
図１２のステップＳ２２２の後に、処理は図１２のステップＳ２２３ではなく図１５のステップＳ２２３に進む。ステップＳ２２３において、ＣＲＣチェックが成功すれば処理はステップＳ２７１に進み、そうでなければ処理はステップＳ２２４に進む。
【００６８】
ステップＳ２７１において、受信解析部２６１は、受信信号の種別を解析する。受信信号の種別が接続要求フレームに一致すれば処理はステップＳ１７０に進み、そうでなければ処理は図９のステップＳ１６６に進む。
【００６９】
ステップＳ２２４において、受信部１５は信号を待ち受ける。ステップＳ２２５において、受信部１５は信号が検出されたか否かを判定する。信号が検出されたならば処理はステップＳ２２６に進み、そうでなければ処理は図１２のステップＳ２２９に進む。
【００７０】
ステップＳ２２６において、受信部１５は受信信号を復調する。ステップＳ２２６において、復調信号についてＣＲＣチェックが行われる。ＣＲＣチェックが成功すれば処理はステップＳ２７４に進み、そうでなければ処理は図１２のステップＳ２２９に進む。
【００７１】
ステップＳ２７４において、受信解析部２６１は、受信信号の種別を解析する。受信信号の種別が接続要求フレームに一致すれば処理はステップＳ１７０に進み、そうでなければ処理は図１２のステップＳ２２９に進む。
【００７２】
ステップＳ１７０において、制御部１６は、受信部１５を停止する。また、制御部１６は、無線部１２を送信モードに切り替え（ステップＳ１７１）、送信部１３を起動し（ステップＳ１７２）、フレーム生成部１４を起動する（ステップＳ１７３）。
【００７３】
ステップＳ１７３において起動されたフレーム生成部１４は、制御部１６の指示に従って、接続応答フレームまたはＡＣＫフレームを生成する（ステップＳ２７２）。ステップＳ１７２において起動された送信部１３と、ステップＳ１７１において送信モードに切り替えられた無線部１２とが、ステップＳ２７２において生成された接続応答フレームまたはＡＣＫフレームを所定のタイミングで送信する（ステップＳ２７３）。ステップＳ２７３の後に、処理は図９のステップＳ１７６に進む。
【００７４】
以下、図４３Ａ及び図４３Ｂを用いて、図１４の無線通信装置の動作例を説明する。  
図４３Ａは、図１４の無線通信装置（例えば、図１における無線通信装置２）が接続要求フレーム４３０１を受信してから、ＡＣＫフレーム４３０３を送信する場合の動作を示している。図４３Ａによれば、ＡＣＫフレーム４３０３の送信は、接続要求フレーム４３０１を受信してからＳＩＦＳ（Ｓｈｏｒｔ  Ｉｎｔｅｒ  Ｆｒａｍｅ  Ｓｐａｃｅ）期間４３０２の経過後に行われる。ＳＩＦＳ期間は、本実施形態に係る無線通信装置がサポートする無線標準仕様によって定められる。
【００７５】
図４３Ｂは、図１４の無線通信装置（例えば、図１における無線通信装置２）が接続要求フレーム４３０４を受信してから、接続応答フレーム４３０６を送信する場合の動作を示している。図４３Ｂによれば、接続応答フレーム４３０６の送信もまた、接続要求フレーム４３０４を受信してからＳＩＦＳ期間４３０５の経過後に行われる。
【００７６】
以上説明したように、第６の実施形態に係る無線通信装置は、接続要求フレームを受信した場合に接続応答フレームまたはＡＣＫフレームを送信する。従って、本実施形態に係る無線通信装置によれば、何らかの理由により接続応答フレームを送信できない場合であっても、代わりにＡＣＫフレームを送信することにより、相手方の無線通信装置に少なくとも受信の成功を知らせることが可能となる。
【００７７】
（第７の実施形態）  
第７の実施形態に係る無線通信装置は、図１６に示されるように、無線部１２、送信部１３、フレーム生成部１４、受信部１５、制御部１６、サブインターバルタイマー１７、起動タイマー１５１、受信判定部２１１、受信解析部２６１、送信タイマー２８１及び接続判断部２８２を含む。
【００７８】
送信タイマー２８１は、無線通信装置が接続要求フレームに対して、ＡＣＫフレームを送信してから接続応答フレームを送信する場合における、ＡＣＫフレームと接続応答フレームとの間の最大送信間隔を計測する。即ち、図１６の無線通信装置は、ＡＣＫフレームを送信した場合には、このＡＣＫフレームを送信してから送信タイマー２８１のタイムアウト前に、接続応答フレームを送信する必要がある。
【００７９】
接続判断部２８２は、図１６の無線通信装置が接続要求フレームを受信した場合に、相手方の無線通信装置との接続判断を行う。
【００８０】
以下、図９、図１２、図１５及び図１７を用いて、図１６の無線通信装置の動作例を説明する。図１６の無線通信装置の動作は、図９、図１２及び図１５（即ち、図１４の無線通信装置の動作）と一部において重複する。図１６の無線通信装置の動作のうち図９、図１２及び図１５と異なる部分は、図１７に示されている。
【００８１】
図１５（または図９）のステップＳ１７３の後に、処理は図１５のステップＳ２７２（または図９のステップＳ１７４）ではなく図１７のステップＳ２９１に進む。ステップＳ２９１において、制御部１６は、受信した接続要求フレームに対する応答フレーム種別を判定する。制御部１６が接続応答フレームを送信することを判定すると、処理はステップＳ２９２に進む。一方、制御部１６がＡＣＫフレームを送信することを判定すると、処理はステップＳ２９４に進む。
【００８２】
ステップＳ２９２において、フレーム生成部１４は、接続応答フレームを生成する。送信部１３及び無線部１２は、ステップＳ２９２において生成された接続応答フレームを所定のタイミングで送信する（ステップＳ２９３）。ステップＳ２９３の後に、処理は図９のステップＳ１７６に進む。
【００８３】
ステップＳ２９４において、フレーム生成部１４は、ＡＣＫフレームを生成する。送信部１３及び無線部１２は、ステップＳ２９４において生成されたＡＣＫフレームを所定のタイミングで送信する（ステップＳ２９５）。ステップＳ２９５の終了に併せて、制御部１６は送信タイマー２８１を起動する（ステップＳ２９６）。
【００８４】
ステップＳ２９６において起動された送信タイマー２８１がタイムアウトする前に、接続判断部２８２による接続判断が完了すれば、処理はステップＳ２９９に進む（ステップＳ２９７，Ｓ２９８）。一方、接続判断部２８２による接続判断が完了する前に、送信タイマー２８１がタイムアウトすれば、処理は図９のステップＳ１６４に戻る。尚、図示されていないが、処理がステップＳ１６４に戻る前に、制御部１６は、送信部１３及びフレーム生成部１４を停止し、受信部１５を起動する。
【００８５】
ステップＳ２９９において、フレーム生成部１４は、接続応答フレームを生成する。送信部１３及び無線部１２は、ステップＳ２９９において生成された接続応答フレームを所定のタイミングで送信する（ステップ３００）。ステップＳ３００の後に、処理は図９のステップＳ１７６に進む。
【００８６】
以下、図４４を用いて、図１６の無線通信装置の動作例を説明する。  
図４４は、図１６の無線通信装置（例えば、図１における無線通信装置２）が受信した接続要求フレーム４３０１に対して、ＡＣＫフレーム４３０３を送信してから、接続応答フレーム４３０６を送信する場合の動作を示している。図４４によれば、図４３Ａと同様に、ＡＣＫフレーム４３０３の送信は、接続要求フレーム４３０１を受信してからＳＩＦＳ期間４３０２の経過後に行われる。更に、図４４によれば、接続応答フレーム４３０６の送信は、ＡＣＫフレーム４３０３を送信してから、送信タイマー２８１のタイムアウト前の期間４４０１に行われる。
【００８７】
以上説明したように、第７の実施形態に係る無線通信装置は、接続要求フレームに対するＡＣＫフレームの送信に併せて送信タイマーを起動し、この送信タイマーがタイムアウトする前に接続応答フレームを送信する。従って、本実施形態に係る無線通信装置によれば、相手方の無線通信装置はＡＣＫフレームの受信後に接続応答フレームをどの程度待機する必要があるかを判定できるので、接続要求フレームの再送などにより接続が短時間で確立しやすくなる。
【００８８】
（第８の実施形態）  
第８の実施形態に係る無線通信装置は、図１８に示されるように、無線部１２、送信部１３、フレーム生成部１４、受信部１５、制御部１６、サブインターバルタイマー１７、インターバルタイマー１８、応答信号タイマー１０１、切替タイマー１０２、受信待ちタイマー３１１、受信判定部３１２及び受信解析部３１３を含む。
【００８９】
受信待ちタイマー３１１は、無線通信装置が送信済みの接続要求フレームに対してＡＣＫフレームを受信し、これに続く接続応答フレームを受信待ちする場合における、最大受信待ち期間を計測する。即ち、図１８の無線通信装置は、ＡＣＫフレームを受信した場合には、このＡＣＫフレームの受信から受信待ちタイマー３１１がタイムアウトするまで接続応答フレームを受信待ちすることができる。
【００９０】
受信判定部３１２は、受信エラーが生じたか否かを判定する。例えば、受信判定部３１２は、受信部１５によって処理された受信信号の誤り検出符号の復号が失敗すれば、受信エラーが生じたと判定する。
【００９１】
受信解析部３１３は、正しく受信された信号（即ち、誤り訂正復号に成功した信号）の種別を解析する。例えば、受信解析部３１３は、受信信号の種別を示すフィールドを参照し、受信信号の種別が接続要求フレーム、ＡＣＫフレーム、接続応答フレームなどのいずれかに一致するかどうかを確認する。
【００９２】
以下、図３、図６Ａ、図６Ｂ及び図１９を用いて、図１８の無線通信装置の動作例を説明する。図１８の無線通信装置の動作は、図３、図６Ａ及び図６Ｂ（即ち、図５の無線通信装置の動作）と一部において重複する。図１８の無線通信装置の動作のうち図３、図６Ａ及び図６Ｂと異なる部分は、図１９に示されている。
【００９３】
図３のステップＳ４１の後に、処理は図６Ｂ（または図３）のステップＳ４２ではなく、図１９のステップＳ３３１に進む。ステップＳ３３１において、受信部１５は信号（例えば、ＡＣＫフレームまたは接続応答フレーム）を待ち受ける。ステップＳ３３２において、受信部１５は例えば受信信号のエネルギーの大きさに基づいて、信号が検出されたか否かを判定する。信号が検出されたならば処理はステップＳ３３３に進み、そうでなければ処理はステップＳ３４３に進む。
【００９４】
ステップＳ３３３において、受信部１５は受信信号を復調する。ステップＳ３３４において、復調信号についてＣＲＣチェック（或いは、他の誤り検出符号でも勿論よい）が行われる。ＣＲＣチェックが成功すれば処理はステップＳ３３５に進み、そうでなければ処理はステップＳ３４４に進む。即ち、受信判定部３１２が受信エラーを判定すれば処理はステップＳ３４４に進み、そうでなければ処理はステップＳ３３５に進む。
【００９５】
ステップＳ３３５，Ｓ３３６において、受信解析部３１３は、受信信号の種別を解析する。受信信号の種別が接続応答フレームに一致すれば処理はステップＳ４７に進み、ＡＣＫフレームに一致すれば処理はステップＳ３３７に進み、接続応答フレーム及びＡＣＫフレームのいずれにも一致しなければ処理はステップＳ３４３に進む。
【００９６】
ステップＳ３３７において、制御部１６は受信待ちタイマー３１１を起動し、処理はステップＳ３３８に進む。ステップＳ３３８において、受信信号は信号を待ち受ける。ステップＳ３３９において、受信部１５は信号が検出されたか否かを判定する。信号が検出されたならば処理はステップＳ３４０に進み、そうでなければ処理はステップＳ３４２に進む。
【００９７】
ステップＳ３４０において、受信部１５は受信信号を復調する。ステップＳ３４１において、受信解析部３１３は、受信信号の種別を解析する。受信信号の種別が接続応答フレームに一致すれば処理は図３のステップＳ４７に進み、そうでなければ処理はステップＳ３４２に進む。
【００９８】
ステップＳ３４２において、制御部１６はステップＳ３３７において起動した受信待ちタイマー３１１がタイムアウトしているか否かを判定する。受信待ちタイマー３１１がタイムアウトしていれば処理はステップＳ３４３に進み、そうでなければ処理はステップＳ３３８に戻る。
【００９９】
ステップＳ３４３において、制御部１６は、図６ＡのステップＳ１１３において起動した応答信号タイマー１０１がタイムアウトしているか否かを判定する。応答信号タイマー１０１がタイムアウトしていれば処理は図６ＢのステップＳ４３に進み、そうでなければ処理はステップＳ３３１に戻る。
【０１００】
ステップＳ３４４において、受信部１５は信号を待ち受ける。ステップＳ３４５において、受信部１５は信号が検出されたか否かを判定する。信号が検出されたならば処理はステップＳ３４６に進み、そうでなければ処理はステップＳ３４９に進む。
【０１０１】
ステップＳ３４６において、受信部１５は受信信号を復調する。ステップＳ３４７において、復調信号についてＣＲＣチェックが行われる。ＣＲＣチェックが成功すれば処理はステップＳ３４８に進み、そうでなければ処理はステップＳ３４９に進む。
【０１０２】
ステップＳ３４８において、受信解析部３１３は、受信信号の種別を解析する。受信信号の種別が接続応答フレームに一致すれば処理は図３のステップＳ４７に進み、そうでなければ処理はステップＳ３４９に進む。
【０１０３】
ステップＳ３４９において、制御部１６は、図３のステップＳ３３において起動したサブインターバルタイマー１７がタイムアウトしているか否かを判定する。サブインターバルタイマー１７がタイムアウトしていれば処理は図３のステップＳ４５に進み、そうでなければ処理はステップＳ３４４に戻る。
【０１０４】
このように、ステップＳ３３４からステップＳ３４４に遷移すると（即ち、受信エラーの発生が判定されると）、応答信号タイマー１０１及び受信待ちタイマー３１１のタイムアウトに関わらずサブインターバルタイマー１８がタイムアウトするまで、受信部１５の起動状態が維持される。
【０１０５】
以下、図４５を用いて、図１８の無線通信装置の動作例を説明する。  
図４５は、図１８の無線通信装置（例えば、図１における無線通信装置１）が送信した接続要求フレーム４５０１に対して、ＡＣＫフレーム４５０３を受信し、その後に接続応答フレーム４５０６を受信する場合の動作を示している。図４５によれば、無線通信装置は、接続要求フレーム４５０１を送信してから、ＳＩＦＳ期間４５０２の経過後にＡＣＫフレームを受信する。尚、応答信号タイマー１０１が計測する期間４５０４は、ＳＩＦＳ期間４５０２よりも長い。更に、図４５によれば、無線通信装置は、ＡＣＫフレームを受信してから受信待ちタイマーがタイムアウトとなる前の期間４５０５において、接続応答フレーム４５０６を受信する。
【０１０６】
また、図１８の無線通信装置の動作の一部を変形することも可能である。この変形された動作は、図３、図６Ａ、図６Ｂ及び図１９と一部において重複する。変形された動作のうち図３、図６Ａ、図６Ｂ及び図１９と異なる部分は、図２０に示されている。尚、図２０のうち、ステップＳ３３４，Ｓ３４４，・・・，Ｓ３４７は図１９と同じである。更に、図２０におけるステップＳ３３５，Ｓ３４８は、図１９のものと遷移先の一部が異なるものの処理内容は同じである。
【０１０７】
図２０のステップＳ３３５またはステップＳ３４８において、受信信号の種別が接続応答フレームに一致すれば、処理はステップＳ３５１に進む。ステップＳ３５１において、フレーム生成部１４がＡＣＫフレームを生成し、送信部１３及び無線部１２が生成されたＡＣＫフレームを所定のタイミングで送信する。ステップＳ３５１の後に、ステップＳ４７において相手方の無線通信装置との接続が確立する。ステップＳ４７の後に、相手方の無線通信装置との間でデータフレームの送受信が行われ（ステップＳ３５２）、その後に接続が切断されて処理が終了する。
【０１０８】
以下、図４６を用いて、図１８の無線通信装置の変形された動作例を説明する。  
図４６は、図１８の無線通信装置（例えば、図１における無線通信装置１）が送信した接続要求フレーム４５０１に対して、図４５と同様にＡＣＫフレーム４５０３及び接続応答フレーム４５０６を受信し、その後にＡＣＫフレーム４６０２を送信し、データフレーム４６０４を送信する場合の動作を示している。図４６によれば、ＡＣＫフレーム４６０２は、接続応答フレーム４５０６の受信からＳＩＦＳ期間４６０１の経過後に行われる。更に、図４６によれば、ＡＣＫフレームの送信からＩＩＦＳ（Ｉｎｉｔｉａｔｏｒ  Ｉｎｔｅｒ  Ｆｒａｍｅ  Ｓｐａｃｅ）期間４６０３の経過後にデータフレーム４６０４の送信が行われる。ＩＩＦＳ期間は、本実施形態に係る無線通信装置がサポートする無線標準仕様によって定められる。
【０１０９】
以上説明したように、第８の実施形態に係る無線通信装置は、接続要求フレームに対するＡＣＫフレームを受信した場合に、その後の接続応答フレームの最大受信待ち期間を定めている。従って、本実施形態に係る無線通信装置によれば、接続応答フレームの待ち時間を制限することができるので、消費電力を節約しつつ相手方の無線通信装置との接続が短時間で確立されやすくなる。
【０１１０】
（第９の実施形態）  
第９の実施形態に係る無線通信装置は、図２１に示されるように、無線部１２、送信部１３、フレーム生成部１４、受信部１５、受信判定部２１１、受信解析部２６１、送信タイマー２８１、接続判断部２８２及び応答信号タイマー３６１を含む。
【０１１１】
応答信号タイマー３６１は、送信済みの接続応答フレームに対する応答信号（例えば、ＡＣＫフレーム）を待機する期間を計測する。
【０１１２】
以下、図９、図１２、図１５、図１７及び図２２を用いて、図２１の無線通信装置の動作例を説明する。図２１の無線通信装置の動作は、図９、図１２、図１５及び図１７（即ち、図１６の無線通信装置の動作）と一部において重複する。図２１の無線通信装置の動作のうち図９、図１２、図１５及び図１７と異なる部分は、図２２に示されている。尚、図２２のうち、ステップＳ２９１，Ｓ２９２，Ｓ２９４・・・，Ｓ２９９は図１７と同じである。更に、図２２におけるステップＳ２９３，Ｓ３００は、図１７のものと遷移先が異なるものの処理内容は同じである。
【０１１３】
図２２のステップＳ２９３またはステップＳ３００の後に、処理はステップＳ３７１に進む。ステップＳ３７１において、制御部１６は応答信号タイマー３６１を起動する。ステップＳ３７１において起動した応答信号タイマー３６１がタイムアウトする前にＡＣＫフレームが受信されれば処理は図９のステップＳ１７６に進み、そうでなければ処理はステップＳ２９７に戻る（ステップＳ３７２，Ｓ３７３）。
【０１１４】
以下、図４７を用いて、図２１の無線通信装置の動作例を説明する。図４７は、図２１の無線通信装置（例えば、図１における無線通信装置２）が、図４４と同様に接続要求フレーム４３０１、ＡＣＫフレーム４３０３及び接続応答フレーム４３０６をやり取りし、その後にＡＣＫフレーム４７０１及びデータフレーム４７０３を受信する場合の動作を示している。図４７によれば、無線通信装置は、接続応答フレームを送信してから応答信号タイマー３６１がタイムアウトする前の期間４５０４にＡＣＫフレーム４７０１を受信する。更に、図４７によれば、無線通信装置は、ＡＣＫフレーム４７０１を受信してからＩＩＦＳ期間４７０２の経過後にデータフレーム４７０３を受信する。
【０１１５】
以上説明したように、第９の実施形態に係る無線通信装置は、接続応答フレームの送信後にＡＣＫフレームを受信し、その後にデータフレームの送受信を行う。従って、本実施形態に係る無線通信装置によれば、所望の無線通信装置とのデータフレームの送受信が可能となる。
【０１１６】
（第１０の実施形態）  
第１０の実施形態に係る無線通信装置は、第９の実施形態に係る無線通信装置と同一または類似の構成を備える。  
以下、図９、図１２、図１５、図１７、図２２及び図２３を用いて、本実施形態に係る無線通信装置の動作例を説明する。本実施形態に係る無線通信装置の動作は、図９、図１２、図１５、図１７及び図２２（即ち、図２１の無線通信装置の動作）と一部において重複する。本実施形態に係る無線通信装置の動作のうち図９、図１２、図１５、図１７及び図２２と異なる部分は、図２３に示されている。
【０１１７】
図１２（または図１５）のステップＳ２２３において、ＣＲＣチェックが成功しなければ、処理は図１２（または図１５）のステップＳ２２４ではなく図２３のステップＳ４０１に進む。
【０１１８】
ステップＳ４０１において、制御部１６は受信部１５を停止する。また、制御部１６は、無線部１２を送信モードに切り替え（ステップＳ４０２）、送信部１３を起動し（ステップＳ４０３）、フレーム生成部１４を起動する（ステップＳ４０４）。ステップＳ４０４において起動されたフレーム生成部１４は、接続要求フレームを生成する（ステップＳ４０５）。ステップＳ４０３において起動された送信部１３と、ステップＳ４０２において送信モードに切り替えられた無線部１２とが、ステップＳ４０５において生成された接続要求フレームを所定のタイミングで送信する（ステップＳ４０６）。
【０１１９】
即ち、本実施形態に係る無線通信装置は、接続要求フレームの受信待ちにおいて受信エラーが発生した場合に、相手方の無線通信装置からの次の接続要求フレームを待機しない。代わりに、本実施形態に係る無線通信装置は、接続要求フレームを生成して相手方の無線通信装置へ送信する。
【０１２０】
ステップＳ４０６の後に、制御部１６は、無線部１２を受信モードに切り替え（ステップＳ４０７）、受信部１５を起動する（ステップＳ４０８）。ステップＳ４０８において起動された受信部１５は、信号を待ち受ける（ステップＳ４０９）。ステップＳ４１０において、受信部１５は例えば受信信号のエネルギーの大きさに基づいて、信号が検出されたか否かを判定する。信号が検出されたならば処理はステップＳ４１１に進み、そうでなければ処理はステップＳ４２２に進む。
【０１２１】
ステップＳ４１１において、受信部１５は受信信号を復調する。ステップＳ４１２において、復調信号についてＣＲＣチェック（或いは、他の誤り検出符号でも勿論よい）が行われる。ＣＲＣチェックが成功すれば処理はステップＳ４１３に進み、そうでなければ処理はステップＳ４０１に戻る。
【０１２２】
ステップＳ４１３，Ｓ４２１において、受信解析部２６１は、受信信号の種別を解析する。受信信号の種別が接続応答フレームに一致すれば処理はステップＳ４１４に進み、ＡＣＫフレームに一致すれば処理はステップＳ４０９に戻り、接続応答フレーム及びＡＣＫフレームのいずれにも一致しなければ処理はステップＳ４２２に進む。
【０１２３】
ステップＳ４１４において、制御部１６は受信部１５を停止する。また、制御部１６は、無線部１２を送信モードに切り替え（ステップＳ４１５）、送信部１３を起動し（ステップＳ４１６）、フレーム生成部１４を起動する（ステップＳ４１７）。ステップＳ４１７において起動されたフレーム生成部１４は、ＡＣＫフレームを生成する（ステップＳ４１８）。ステップＳ４１６において起動された送信部１３と、ステップＳ４１５において送信モードに切り替えられた無線部１２とが、ステップＳ４１８において生成されたＡＣＫフレームを所定のタイミングで送信する（ステップＳ４１９）。ステップＳ４２０の後に、相手方の無線通信装置との接続が確立する。
【０１２４】
ステップＳ４２２において、制御部１６はサブインターバルタイマー１７がタイムアウトしているか否かを判定する。サブインターバルタイマー１７がタイムアウトしていれば処理はステップＳ４２３に進み、そうでなければ処理はステップＳ４０９に戻る。ステップＳ４２３において、制御部１６はサブインターバルタイマー１７を起動し、処理は図９のステップＳ１６４に戻る。
【０１２５】
以下、図４８を用いて、本実施形態に係る無線通信装置の動作例を説明する。  
図４８は、本実施形態に係る無線通信装置（例えば、図１における無線通信装置２）が、接続要求フレームを正しく受信できず受信エラーが発生した場合の動作を示している。図４８によれば、無線通信装置は、受信エラー４８０１の発生からＳＩＦＳ期間４８０２の経過後に接続要求フレーム４８０３を送信する。
【０１２６】
以上説明したように、第１０の実施形態に係る無線通信装置は、接続要求フレームの受信エラー発生時に、接続要求フレームを生成して送信する。従って、本実施形態に係る無線通信装置によれば、相手方の無線通信装置との間で接続要求フレームがやり取りされる頻度が高くなる。即ち、本実施形態に係る無線通信装置によれば、接続が短時間で確立されやすくなる。
【０１２７】
（第１１の実施形態）  
第１１の実施形態に係る無線通信装置は、図２４に示されるように、無線部１２、送信部１３、フレーム生成部１４、受信部１５、応答信号タイマー１０１、切替タイマー１０２、受信待ちタイマー３１１、受信判定部３１２、受信解析部３１３、周波数チャネル選択部４３１及び周波数チャネル切替部４３２を含む。
【０１２８】
周波数チャネル選択部４３１は、無線通信装置が使用可能な複数の周波数チャネルから１つを選択する。周波数チャネル切替部４３２は、無線部１２、送信部１３及び受信部１５の使用チャネルを上記複数の周波数チャネルのいずれか１つに切り替える。
【０１２９】
以下、図３、図６Ａ、図６Ｂ、図１９及び図２５を用いて、図２４の無線通信装置の動作例を説明する。図２４の無線通信装置の動作は、図３、図６Ａ、図６Ｂ及び図１９（即ち、図１８の無線通信装置の動作）と一部において重複する。図２４の無線通信装置の動作のうち、図３、図６Ａ、図６Ｂ及び図２０と異なる部分は、図２５に示されている。
【０１３０】
図３のステップＳ４８において、インターバルタイマー１８がタイムアウトしていれば、処理は図３のステップＳ３１ではなく、図２５のステップＳ４４１に進む。ステップＳ４４１において、周波数チャネル選択部４３１は、無線通信装置が使用可能な複数の周波数チャネルから１つを選択する。周波数チャネル切替部４３２は、無線部１２、送信部１３及び受信部１５の使用チャネルを、ステップＳ４４１において選択された周波数チャネルに切り替える（ステップＳ４４２）。ステップＳ４４２の後に、処理は図３のステップＳ３１に戻る。
【０１３１】
以下、図４９を用いて、図２４の無線通信装置の動作例を説明する。  
図４９は、図２４の無線通信装置が、複数の周波数チャネルを切り替える場合の動作を示している。図４９によれば、無線通信装置は、あるサブインターバル４９０１において、周波数チャネル１を使用して接続要求フレームの送信（例えば、４９０３）と、その応答信号の受信待ち（例えば、４９０４）とを繰り返す。更に、図４９によれば、無線通信装置は、別のサブインターバル４９０２において、周波数チャネル３を使用して接続フレームの送信（例えば、４９０５）と、その応答信号の受信待ち（例えば、４９０６）とを繰り返す。
【０１３２】
以上説明したように、第１１の実施形態に係る無線通信装置は、サブインターバル毎に周波数チャネルを切り替え、各サブインターバルにおいて接続要求フレームの送信と、その応答信号の受信待ちとを交互に繰り返す。従って、本実施形態に係る無線通信装置によれば、相手方の無線通信装置が複数の周波数チャネルを使用可能である場合にも、接続が短時間で確立されやすい。
【０１３３】
（第１２の実施形態）  
第１２の実施形態に係る無線通信装置は、図２６に示されるように、無線部１２、送信部１３、フレーム生成部１４、受信部１５、起動タイマー１５１、受信判定部２１１、受信解析部２６１、送信タイマー２８１、接続判断部２８２及び周波数チャネル切替部４３２を含む。
【０１３４】
以下、図９、図１２、図１５、図１７及び図２７を用いて、図２６の無線通信装置の動作例を説明する。図２６の無線通信装置の動作は、図９、図１２、図１５及び図１７（即ち、図１６の無線通信装置の動作）と一部において重複する。図２６の無線通信装置の動作のうち図９、図１２、図１５及び図１７と異なる部分は、図２７に示されている。
【０１３５】
図９のステップＳ１６６において、起動タイマー１５１がタイムアウトしているならば、処理は図９のステップＳ１６７ではなく図２７のステップＳ４５１に進む。ステップＳ４５１において、無線通信装置が使用可能な全ての周波数チャネルでの待ち受けが現行のサブインターバル内で終了しているか否かが判定される。現行のサブインターバル内で、全ての周波数チャネルでの待ち受けが終了していれば処理は図９のステップＳ１６７に進み、そうでなければ処理はステップＳ４５２に進む。
【０１３６】
ステップＳ４５２において、周波数チャネル切替部４３２は、無線部１２、送信部１３及び受信部１５の使用チャネルを、現行のサブインターバル内で待ち受けを行っていないいずれかのチャネルに切り替える。ステップＳ４５２の後に、制御部１６は起動タイマー１５１による起動期間の計測を開始させて（ステップＳ４５３）、処理は図９のステップＳ１６４に戻る。
【０１３７】
以下、図５０を用いて、図２６の無線通信装置の動作例を説明する。  
図５０は、図２６の無線通信装置が、サブインターバル内で複数の周波数チャネルを切り替える場合の動作を示している。図５０によれば、無線通信装置は、あるサブインターバル５００１において、周波数チャネル１を使用して起動期間５００３において受信待ち受けを行い、周波数チャネル切り替えによる遅延５００９を経て周波数チャネル２を使用して起動期間５００４において受信待ちを行い、周波数チャネル切り替えによる遅延５０１０を経て周波数チャネル３を使用して起動期間５００５において受信待ちを行う。更に、図５０によれば、無線通信装置は、別のサブインターバル５００２において、周波数チャネル１を使用して起動期間５００６において受信待ち受けを行い、周波数チャネル切り替えによる遅延５０１１を経て周波数チャネル２を使用して起動期間５００７において受信待ちを行い、周波数チャネル切り替えによる遅延５０１２を経て周波数チャネル３を使用して起動期間５００８において受信待ちを行う。
【０１３８】
以上説明したように、第１２の実施形態に係る無線通信装置は、サブインターバル内で複数の周波数チャネルを切り替えて接続要求フレームの受信待ち受けを行う。従って、本実施形態に係る無線通信装置によれば、相手方の無線通信装置が複数の周波数チャネルを使用可能である場合にも、接続が短時間で確立されやすくなる。
【０１３９】
（第１３の実施形態）  
第１３の実施形態に係る無線通信装置は、第１２の実施形態に係る無線通信装置と同一または類似の構成を備える。  
以下、図９、図１２、図１５、図１７、図２７及び図２８を用いて、本実施形態に係る無線通信装置の動作例を説明する。本実施形態に係る無線通信装置の動作は、図９、図１２、図１５、図１７及び図２７（即ち、図２６の無線通信装置の動作）と一部において重複する。本実施形態に係る無線通信装置の動作のうち図９、図１２、図１５、図１７及び図２７と異なる部分は、図２８に示されている。尚、図２８におけるステップＳ２２３，Ｓ２７１は、図１５のものと遷移先の一部が異なるものの処理内容は同じである。
【０１４０】
ステップＳ２２３においてＣＲＣチェックが成功すれば処理はステップＳ２７１に進み、そうでなければ処理はステップＳ４６１に進む。ステップＳ２７１において、受信信号の種別が接続要求フレームに一致すれば処理は図１５（または図９）のステップＳ１７０に進み、そうでなければ処理はステップＳ４６２に進む。
【０１４１】
ステップＳ４６１において、周波数チャネル切替部４３２は、現行の周波数チャネル（即ち、受信エラーが発生した周波数チャネル）に、無線部１２、送信部１３及び受信部１５の使用チャネルを固定する。ステップＳ４６１の後に、処理は図１５（または図１２）のステップＳ２２４に進む。
【０１４２】
ステップＳ４６２において、無線部１２、送信部１３及び受信部１５の使用チャネルが固定されていれば処理は図９のステップＳ１６４に戻り、そうでなければ処理は図９のステップＳ１６６に戻る。
【０１４３】
以下、図５１を用いて、本実施形態に係る無線通信装置の動作例を説明する。  
図５１は、本実施形態に係る無線通信装置が、周波数チャネル２を使用して受信待ちを行っているときに受信エラーが発生する場合の動作を示している。図５１によれば、無線通信装置は、あるサブインターバル５１０１において、周波数チャネル１を使用して起動期間５１０３において受信待ち行い、周波数チャネル切り替えを経て周波数チャネル２を使用して起動期間５１０４において受信待ちを行う。起動期間５１０４において受信エラーが発生すると、無線部１２、送信部１３及び受信部１５の使用チャネルが周波数チャネル２に固定される。以降の期間５１０５において、無線通信装置は、固定周波数チャネル２を使用して受信待ち受けを行う。
【０１４４】
以上説明したように、第１３の実施形態に係る無線通信装置は、受信エラーが発生した場合に使用チャネルを固定して受信待ち受けを行う。従って、本実施形態に係る無線通信装置によれば、例えば相手方の無線通信装置が同じ周波数チャネル上で接続要求フレームを繰り返し送信する場合に、受信エラー後に送信される接続要求フレームを受信することができるので、接続が短時間で確立されやすい。
【０１４５】
（第１４の実施形態）  
第１４の実施形態に係る無線通信装置は、第１２、第１３の実施形態に係る無線通信装置と同一または類似の構成を備える。  
以下、図９、図１２、図１５、図１７、図２３、図２７、図２８及び図２９を用いて、本実施形態に係る無線通信装置の動作例を説明する。本実施形態に係る無線通信装置の動作は、図９、図１２、図１５、図１７、図２３、図２７及び図２８（即ち、図２６の無線通信装置の動作）と一部において重複する。本実施形態に係る無線通信装置の動作のうち図９、図１２、図１５、図１７、図２３、図２７及び図２８と異なる部分は、図２９に示されている。尚、図２９におけるステップＳ４０１，・・・・，Ｓ４１０，Ｓ４１３，・・・，Ｓ４２３は、図２３のものと同一である。また、図２９におけるステップＳ４１１は、図２３のものと遷移先が異なるものの処理内容は同じである。
【０１４６】
図２８のステップＳ４６１の後に、処理は図２８のステップＳ４６１ではなく図２９のステップＳ４０１に進む。ステップＳ４１１の後に、処理はステップＳ４７１に進む。ステップＳ４７１において、ＣＲＣチェックが成功すれば処理はステップＳ４１３に進み、そうでなければ処理は図２８のステップＳ４６１に戻る。
【０１４７】
以下、図５２を用いて、本実施形態に係る無線通信装置の動作例を説明する。  
図５２は、本実施形態に係る無線通信装置が、周波数チャネル２を使用して受信待ちを行っているときに受信エラーが発生する場合の動作を示している。図５２によれば、無線通信装置は、あるサブインターバル５２０１において、周波数チャネル１を使用して起動期間５２０３において受信待ちを行い、周波数チャネル切り替えを経て周波数チャネル２を使用して起動期間５２０４において受信待ちを行う。起動期間５２０４において受信エラーが発生すると、無線部１２、送信部１３及び受信部１５の使用チャネルが周波数チャネル２に固定される。受信エラーの発生からＳＩＦＳ期間５２０５の経過後に、無線通信装置は周波数チャネル２を使用して接続要求フレーム５２０６を送信する。接続要求フレーム５２０６の送信からＳＩＦＳ期間５２０７の経過後に、無線通信装置は周波数チャネル２を使用して相手方の無線通信装置からの応答信号を待機する（５２０８）。
【０１４８】
以上説明したように、第１４の実施形態に係る無線通信装置は、接続要求フレームの受信エラー発生時に、使用チャネルを固定すると共に接続要求フレームを生成して送信する。従って、本実施形態に係る無線通信装置によれば、接続が短時間で確立されやすくなる。
【０１４９】
（第１５の実施形態）  
前述の各実施形態では、インターバル内で計測されるサブインターバルにおける無線通信装置の種々の動作について説明した。第１５の実施形態に係る無線通信装置は、サブインターバルの整数倍（２倍，３倍，・・・）に等しいインターバルを利用する。
【０１５０】
図３０は、サブインターバルの４倍の長さを持つインターバル５０１を例示している。即ち、インターバル５０１内では、最大で４つのサブインターバル５０２，５０３，５０４，５０５を計測することができる。
【０１５１】
前述の各実施形態に係る無線通信装置は、接続要求フレームを送信するものと、接続要求を受信するものとに大別することができる。しかしながら、例えば、単一の無線通信装置が時分割で動作を切り替えることも想定される。即ち、あるサブインターバルにおいて接続要求フレームを送信する無線通信装置が、他のサブインターバルにおいて接続要求フレームの受信待ちを行ってもよい。係る動作の切り替えを行う非同期の無線通信装置同士で接続を試みる場合であっても、１つのインターバルに複数のサブインターバルが含まれていれば、両者が接続されやすくなると考えられる。
【０１５２】
以上説明したように、第１５の実施形態に係る無線通信装置は、サブインターバルの整数倍（２倍，３倍，・・・）に等しいインターバルを利用する。従って、本実施形態に係る無線通信装置によれば、相手方の無線通信装置との接続が容易となる。
【０１５３】
（第１６の実施形態）  
図３１は、第１６の実施形態に係る無線通信装置１１００を概略的に示している。この無線通信装置１１００は、図２４の無線通信装置の内部にアンテナ１１を含めた構成に相当する。このように、アンテナを無線通信装置の内部に含める構成とすることにより、アンテナまでを含めた１つの装置として無線通信装置を実装することが可能となる。故に、実装面積を小さく抑えることが可能となる。また、無線通信装置１１００は、アンテナ１１を送信処理と受信処理で共用している。このように、１つのアンテナを送信処理及び受信処理で共用することにより、送信処理及び受信処理で別々のアンテナを利用する構成に比べて無線通信装置を小型化することが可能となる。
【０１５４】
（第１７の実施形態）  
図３２は、第１７の実施形態に係る無線通信装置１２００を概略的に示している。この無線通信装置１２００は、図２４の無線通信装置の構成に加えて、バッファ１２０１を備えている。バッファ１２０１は送信部１３及び受信部１５それぞれと接続されている。このように、バッファを無線通信装置に含める構成とすることにより、送受信データをバッファに保持することが可能となり、再送処理や外部出力処理を容易に行うことが可能となる。
【０１５５】
（第１８の実施形態）  
図３３は、第１８の実施形態に係る無線通信装置１３００を概略的に示している。この無線通信装置１３００は、図３２の無線通信装置１２００の構成に加えて、バス１３０１、プロセッサ部１３０２、外部インターフェース部１３０３を備えている。プロセッサ部１３０２及び外部インターフェース部１３０３はバス１３０１を介してバッファ１２０１と接続されている。プロセッサ部１３０２ではファームウエアが動作する。このように、ファームウエアを無線通信装置に含める構成とすることにより、ファームウエアの書き換えによって無線通信装置の機能の変更を容易に行うことが可能となる。
【０１５６】
（第１９の実施形態）  
図３４は、第１９の実施形態に係る無線通信装置１４００を概略的に示している。この無線通信装置１４００は、図２４の無線通信装置の構成に相当する無線送受信部１４０１に加えて、クロック生成部１４０２を備えている。クロック生成部１４０２は、無線送受信部１４０１に接続されており、生成したクロックを無線送受信部１４０１に出力する。更に、クロック生成部１４０２によって生成されるクロックは、出力端子により外部にも出力される。このように、無線通信装置内部で生成されたクロックを外部に出力し、外部に出力されたクロックによってホスト側を動作させることにより、ホスト側と無線通信装置側を同期させて動作させることが可能となる。
【０１５７】
（第２０の実施形態）  
図３５は、第２０の実施形態に係る無線通信装置１５００を概略的に示している。この無線通信装置１５００は、図２４の無線通信装置の構成に相当する無線送受信部１４０１に加えて、電源部１５０１、電源制御部１５０２及び無線電力受電部１５０３を備えている。これら電源部１５０１、電源制御部１５０２及び無線電力受電部１５０３は、それぞれ無線送受信部１４０１に接続されている。このように、電源を無線通信装置に備える構成とすることにより、電源制御に伴う消費電力の削減を図ることが可能となる。
【０１５８】
（第２１の実施形態）  
図３６は、第２１の実施形態に係る無線通信装置１６００を概略的に示している。この無線通信装置１６００は、図３５の無線通信装置１５００の構成に加えて、ＮＦＣ（Ｎｅａｒ  Ｆｉｅｌｄ  Ｃｏｍｍｕｎｉｃａｔｉｏｎｓ）送受信部１６０１を備えている。ＮＦＣ送受信部１６０１は、電源制御部１５０２及び制御部１６に接続される。このように、ＮＦＣ送受信部を無線通信装置に備える構成とすることにより、容易に認証処理を行うことが可能となる。更に、ＮＦＣ送受信部における所定の動作をトリガとして電源制御を行うことで待ち受け時の消費電力の削減を図ることが可能となる。
【０１５９】
（第２２の実施形態）  
図３７は、第２２の実施形態に係る無線通信装置１７００を概略的に示している。この無線通信装置１７００は、図３５の無線通信装置１５００の構成に加えて、ＳＩＭカード１７０１を備えている。ＳＩＭカード１７０１は、制御部１６に接続される。このように、ＳＩＭカードを無線通信装置に備える構成とすることにより、容易に認証処理を行うことが可能となる。
【０１６０】
（第２３の実施形態）  
図３８は、第２３の実施形態に係る無線通信装置１８００を概略的に示している。この無線通信装置１８００は、図３３の無線通信装置１３００の構成に加えて、動画像圧縮／伸長部１８０１を備えている。動画像圧縮／伸張部１８０１は、バス１３０１に接続される。このように、動画像圧縮／伸長部を無線通信装置に備える構成とすることにより、圧縮した動画像の伝送と受信した圧縮動画像の伸長とを容易に行うことが可能となる。
【０１６１】
（第２４の実施形態）  
図３９は、第２４の実施形態に係る無線通信装置１９００を概略的に示している。この無線通信装置１９００は、図２４の無線通信装置の構成に相当する無線送受信部１４０１に加えて、ＬＥＤ部１９０１を備えている。ＬＥＤ部１９０１は、制御部１６に接続される。このように、ＬＥＤを無線通信装置に備える構成とすることにより、無線通信装置の動作状態をユーザに容易に通知することが可能となる。
【０１６２】
（第２５の実施形態）  
図４０は、第２５の実施形態に係る無線通信装置２０００を概略的に示している。この無線通信装置２０００は、図２４の無線通信装置の構成に相当する無線送受信部１４０１に加えて、バイブレータ部２００１を備えている。バイブレータ部２００１は、制御部１６に接続される。このように、バイブレータを無線通信装置に備える構成とすることにより、無線通信装置の動作状態をユーザに容易に通知することが可能となる。
【０１６３】
（第２６の実施形態）  
図４１は、第２６の実施形態に係る無線通信装置２１００を概略的に示している。この無線通信装置２１００は、図２４の無線通信装置の構成に相当する無線送受信部１４０１加えて、無線ＬＡＮ部２１０１及び無線切替部２１０２を備えている。無線切替部２１０２は制御部１６及び無線ＬＡＮ部２１０１に接続されている。このように、無線ＬＡＮ部を無線通信装置に備える構成とすることにより、状況に応じて無線ＬＡＮ通信と無線送受信部１４０１による通信とを切り替えることが可能となる。
【０１６４】
（第２７の実施形態）  
図４２は、第２７の実施形態に係る無線通信装置２２００を概略的に示している。この無線通信装置２２００は、図４１の無線通信装置２１００の構成に加えて、スイッチ（ＳＷ）２２０１を備えている。このように、スイッチを無線通信装置に備える構成とすることにより、アンテナを共用しながら状況に応じて無線ＬＡＮ通信と無線送受信部１４０１による通信とを切り替えることが可能となる。
【０１６５】
上記各実施形態の処理は、汎用のコンピュータを基本ハードウェアとして用いることで実現可能である。上記各実施形態の処理を実現するプログラムは、コンピュータで読み取り可能な記憶媒体に格納して提供されてもよい。プログラムは、インストール可能な形式のファイルまたは実行可能な形式のファイルとして記憶媒体に記憶される。記憶媒体としては、磁気ディスク、光ディスク（ＣＤ−ＲＯＭ、ＣＤ−Ｒ、ＤＶＤ等）、光磁気ディスク（ＭＯ等）、半導体メモリなど、プログラムを記憶でき、かつ、コンピュータが読み取り可能な記憶媒体であれば、何れの形態であってもよい。また、上記各実施形態の処理を実現するプログラムを、インターネットなどのネットワークに接続されたコンピュータ（サーバ）上に格納し、ネットワーク経由でコンピュータ（クライアント）にダウンロードさせてもよい。
【０１６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１６７】
１，２，３、１１００，１２００，１３００，１４００，１５００，１６００，１７００，１８００，１９００，２０００，２１００，２２００・・・無線通信装置
１１・・・アンテナ
１２・・・無線部
１３・・・送信部
１４・・・フレーム生成部
１５・・・受信部
１６・・・制御部
１７・・・サブインターバルタイマー
１８・・・インターバルタイマー
１０１，３６１・・・応答信号タイマー
１０２・・・切替タイマー
１５１・・・起動タイマー
２１１，３１２・・・受信判定部
２６１，３１３・・・受信解析部
２８１・・・送信タイマー
２８２・・・接続判断部
３１１・・・受信待ちタイマー
４３１・・・周波数チャネル選択部
４３２・・・周波数チャネル切替部
１２０１・・・バッファ
１３０１・・・バス
１３０２・・・プロセッサ部
１３０３・・・外部インターフェース部
１４０１・・・無線送受信部
１４０２・・・クロック生成部
１５０１・・・電源部
１５０２・・・電源制御部
１５０３・・・無線電力受電部
１６０１・・・ＮＦＣ送受信部
１７０１・・・ＳＩＭカード
１８０１・・・動画像圧縮／伸張部
１９０１・・・ＬＥＤ部
２００１・・・バイブレータ部
２１０１・・・無線ＬＡＮ部
２１０２・・・無線切替部
２２０１・・・スイッチ
【図１】
0005677532.tif 000002
【図２】
0005677532.tif 000003
【図３】
0005677532.tif 000004
【図４】
0005677532.tif 000005
【図５】
0005677532.tif 000006
【図６Ａ】
0005677532.tif 000007
【図６Ｂ】
0005677532.tif 000008
【図７】
0005677532.tif 000009
【図８】
0005677532.tif 000010
【図９】
0005677532.tif 000011
【図１０】
0005677532.tif 000012
【図１１】
0005677532.tif 000013
【図１２】
0005677532.tif 000014
【図１３】
0005677532.tif 000015
【図１４】
0005677532.tif 000016
【図１５】
0005677532.tif 000017
【図１６】
0005677532.tif 000018
【図１７】
0005677532.tif 000019
【図１８】
0005677532.tif 000020
【図１９】
0005677532.tif 000021
【図２０】
0005677532.tif 000022
【図２１】
0005677532.tif 000023
【図２２】
0005677532.tif 000024
【図２３】
0005677532.tif 000025
【図２４】
0005677532.tif 000026
【図２５】
0005677532.tif 000027
【図２６】
0005677532.tif 000028
【図２７】
0005677532.tif 000029
【図２８】
0005677532.tif 000030
【図２９】
0005677532.tif 000031
【図３０】
0005677532.tif 000032
【図３１】
0005677532.tif 000033
【図３２】
0005677532.tif 000034
【図３３】
0005677532.tif 000035
【図３４】
0005677532.tif 000036
【図３５】
0005677532.tif 000037
【図３６】
0005677532.tif 000038
【図３７】
0005677532.tif 000039
【図３８】
0005677532.tif 000040
【図３９】
0005677532.tif 000041
【図４０】
0005677532.tif 000042
【図４１】
0005677532.tif 000043
【図４２】
0005677532.tif 000044
【図４３Ａ】
0005677532.tif 000045
【図４３Ｂ】
0005677532.tif 000046
【図４４】
0005677532.tif 000047
【図４５】
0005677532.tif 000048
【図４６】
0005677532.tif 000049
【図４７】
0005677532.tif 000050
【図４８】
0005677532.tif 000051
【図４９】
0005677532.tif 000052
【図５０】
0005677532.tif 000053
【図５１】
0005677532.tif 000054
【図５２】
0005677532.tif 000055